(57)【特許請求の範囲】
【請求項１】
第１ユーザ端末のウェブサイトアクセスによって提供されるウェブページを生成するウェブページ生成部が生成した、前記第１ユーザ端末に提供されたウェブページ内に含まれる特定の表示の選択による選択情報を受信する選択情報受信部と、
前記受信した選択情報に基づき特定の電話番号を含むプッシュメッセージを生成するプッシュメッセージ生成部と、
前記生成されたプッシュメッセージを予め設定された第２ユーザ端末にプッシュするメッセージ伝送処理部と、
を含み、
前記特定の表示は、前記第１ユーザ端末の選択によって前記特定の電話番号を含む選択情報を前記選択情報受信部に提供する機能を有するハイパーリンクに該当し、
前記ハイパーリンクは、前記ウェブページ内に含まれた特定のテキスト又はイメージに生成された、前記特定の電話番号を予め設定された第２ユーザ端末にプッシュする機能を実行するためのリンクであり、
前記第２ユーザ端末にはインスタントメッセンジャーがインストールされ、
前記第２ユーザ端末内にインストールされた前記インスタントメッセンジャーの通話機能を用いて通話手続が行われ、
前記インスタントメッセンジャーが通話機能を提供する場合にのみ前記第２ユーザ端末にプッシュメッセージを伝送する、ウェブトゥアプリ連動サーバ。
【請求項２】
前記サーバは、前記選択情報を受信するときに、前記サーバを介して前記第１ユーザ端末がログインしたか否かを確認し、
前記確認の結果、前記第１ユーザ端末がログインされている状態である場合、前記サーバは、前記ウェブページを生成するときに、特定のテキスト又はイメージに前記ログインしたユーザが設定した電話番号により識別される第２ユーザ端末への前記ハイパーリンクを生成する、請求項１に記載のウェブトゥアプリ連動サーバ。
【請求項３】
前記サーバは、前記選択情報を受信するときに、前記サーバを介して前記第１ユーザ端末がログインしたか否かを確認し、
前記確認の結果、前記第１ユーザ端末がログインされていない状態である場合、電話番号を入力するようにプロセスウィンドウを提供する、請求項１に記載のウェブトゥアプリ連動サーバ。
【請求項４】
前記プッシュメッセージに含まれた前記特定の電話番号は、前記第２ユーザ端末内で認識される、請求項１〜３の何れか一項に記載のウェブトゥアプリ連動サーバ。
【請求項５】
前記第２ユーザ端末内で認識される特定の電話番号は、前記選択情報の表示の種類に応じて前記第２ユーザ端末により通話手続が行われるか又は前記第２ユーザ端末内のアドレス帳に登録される、請求項４に記載のウェブトゥアプリ連動サーバ。
【請求項６】
前記第２ユーザ端末にはインスタントメッセンジャーがインストールされ、
前記特定の電話番号は、前記第２ユーザ端末内にインストールされた前記インスタントメッセンジャーの通話機能を利用して通話手続が行われる、請求項５に記載のウェブトゥアプリ連動サーバ。
【請求項７】
前記ウェブトゥアプリ連動サーバは、前記選択情報を受信するときに、前記第１ユーザ端末がログインしたか否かを確認し、前記確認の結果、前記第１ユーザ端末がログインされていない状態である場合、前記第１ユーザ端末がログインされるようにウェブページを提供するログイン確認部をさらに含む、請求項１〜請求項６の何れか一項に記載のウェブトゥアプリ連動サーバ。
【請求項８】
前記プッシュメッセージは、前記特定の電話番号に係る対象の名称、Ｅメール、住所のうち何れか一つ以上をさらに含む、請求項１〜請求項７の何れか一項に記載のウェブトゥアプリ連動サーバ。
【請求項９】
サーバで行われるウェブトゥアプリ連動方法であって、
第１ユーザ端末のウェブサイトアクセスによって提供されるウェブページを生成し、
第１ユーザ端末から前記第１ユーザ端末に提供されたウェブページ内に含まれる特定の表示の選択による選択情報を受信し、
前記受信した選択情報に基づき特定の電話番号を含むプッシュメッセージを生成し、
前記生成されたプッシュメッセージを予め設定された第２ユーザ端末にプッシュすること、を含み、
前記特定の表示は、前記第１ユーザ端末の選択によって前記特定の電話番号を含む選択情報を前記サーバに提供する機能を有するハイパーリンクに該当し、
前記ハイパーリンクは、前記ウェブページ内に含まれた特定のテキスト又はイメージに生成された、前記特定の電話番号を予め設定された第２ユーザ端末にプッシュする機能を実行するためのリンクであり、
前記第２ユーザ端末にはインスタントメッセンジャーがさらにインストールされ、
前記第２ユーザ端末内にインストールされた前記インスタントメッセンジャーの通話機能を用いて通話手続が行われ、
前記インスタントメッセンジャーが通話機能を提供する場合にのみ前記第２ユーザ端末にプッシュメッセージを伝送する、ウェブトゥアプリ連動方法。
【請求項１０】
前記サーバは、前記選択情報を受信するときに、前記サーバを介して前記第１ユーザ端末がログインしたか否かを確認し、
前記確認の結果、前記第１ユーザ端末がログインされている状態である場合、前記サーバは、前記生成されたプッシュメッセージを前記第１ユーザ端末のログインしたユーザが設定した電話番号により識別される第２ユーザ端末に伝送する、請求項９に記載のウェブトゥアプリ連動方法。
【請求項１１】
前記サーバは、前記選択情報を受信するときに、前記サーバを介して前記第１ユーザ端末がログインしたか否かを確認し、
前記確認の結果、前記第１ユーザ端末がログインされていない状態である場合、電話番号を入力するようにプロセスウィンドウを提供する、請求項１０に記載のウェブトゥアプリ連動方法。
【請求項１２】
前記プッシュメッセージに含まれた前記特定の電話番号は、前記第２ユーザ端末内で認識される、請求項９に記載のウェブトゥアプリ連動方法。
【請求項１３】
前記第２ユーザ端末内で認識される特定の電話番号は、前記選択情報の表示の種類に応じて前記第２ユーザ端末により通話手続が行われるか又は前記第２ユーザ端末内のアドレス帳に登録される、請求項１２に記載のウェブトゥアプリ連動方法。
【請求項１４】
前記第２ユーザ端末にはインスタントメッセンジャーがインストールされ
前記特定の電話番号は、前記第２ユーザ端末内にインストールされた前記インスタントメッセンジャーの通話機能を利用して通話手続が行われる、請求項１３に記載のウェブトゥアプリ連動方法。
【請求項１５】
前記選択情報受信段階の後に、
前記第１ユーザ端末がログインしたか否かを確認し、
前記確認の結果、前記第１ユーザ端末がログインされていない状態である場合、前記第１ユーザ端末がログインされるようにウェブページを提供すること、をさらに含む、請求項９〜請求項１４の何れか一項に記載のウェブトゥアプリ連動方法。
【請求項１６】
前記プッシュメッセージは、前記特定の電話番号に係る対象の名称、Ｅメール、住所のうち何れか一つ以上をさらに含む、請求項９〜請求項１５の何れか一項に記載のウェブトゥアプリ連動方法。
【請求項１７】
請求項９〜請求項１６の何れか一項に記載の方法を実行するためのプログラムが記録されている、コンピュータ読み取り可能な記録媒体。
【発明の詳細な説明】
【技術分野】
【０００１】
本発明は、インターネットウェブサイトとユーザ端末にインストールされるアプリケーションとの間の連動システムに関し、より詳細には、前記ウェブサイトとアプリケーションとの間の連動によりユーザ端末を利用した電話関連サービスを提供するためのウェブトゥアプリ（Ｗｅｂ  ｔｏ  Ａｐｐ）連動コールサービスシステム、方法及びコンピュータ読み取り可能な記録媒体に関する。
【背景技術】
【０００２】
通常、インターネットは、世界のどこでも、誰でも、アクセスしようとする相手のコンピュータに特定のルールを適用して自由に接続して使用するように構成された開放型ネットワークであり、ユーザは、インターネットを介して基本的な文字情報の伝達は無論、圧縮技術の発達に伴い、マルチメディア情報の伝達に用いられるＥメール、ファイル伝送、ＷＷＷ（Ｗｏｒｌｄ  Ｗｉｄｅ  Ｗｅｂ）などの様々なサービスを利用することができる。
【０００３】
このように、韓国をはじめ世界的に使用が急激に増加するにつれて、インターネットは、既存産業のあらゆる分野にわたり効率性と生産性を向上するための戦略的な道具としてその重要性が急速に増大しており、インターネットを介する新しいビジネスの機会もまた継続して創出され、かつその領域も拡張している傾向にあり、インターネットを利用した事業者も益々増加しつつある。
【０００４】
このようなインターネットサイトには、個人、会社、機関、団体、商店などが自分のウェブページを構築し、住所及び電話番号などを掲載することで、訪問者が訪問又は連絡をするための情報を提供する。しかし、従来のインターネットサイト上に掲載された電話番号に電話をかけるためには訪問者が該電話番号を確認し、自分の携帯電話又は有線電話に電話番号を直接入力することで通話することができた。
【０００５】
従って、ウェブページに掲載された電話番号に電話をかけるためには電話番号をメモするか確認して自分の携帯電話にいちいち入力しなければならない手続上の手間があった。そのため、時折電話番号を誤って入力する問題が発生し、電話をかけるまでの時間が遅延され、不便を伴う問題があった。
【０００６】
一方、インターネット上で直接電話をかけることが可能な方法としてウェブトゥフォン（ｗｅｂ  ｔｏ  ｐｈｏｎｅ）方式が開発された。前記ウェブトゥフォン方式によると、インターネットウェブページ上で特定のボタンをクリックするか電話番号を入力することでウェブ上で該対象にすぐ電話をかけることが可能であるという利点がある。しかし、前記ウェブトゥフォン方式は、ＩＰ（Ｉｎｔｅｒｎｅｔ  ｐｒｏｔｏｃｏｌ）網を基盤に通話を提供するため、インターネットフォン関連サービスに別に登録しなければならず、通信網基盤の通話音質に比べて相対的に通話音質に劣るという欠点がある。また、インターネットフォンを使用するためにヘッドセットなどの追加の装備を備えなければならないという不都合がある。
【０００７】
また、インターネットホームページ上でのクリックで通話サービスを提供する技術として、韓国登録特許公報第２００６‐００３０１２８号「インターネットと通信網を連動して個人ホームページ上でワンクリックだけでホームページのオ−ナーと通話できるサービス提供方法（（株）ＨＥＲＩＴ）」（文献１）には、インターネットと通信網の連動により個人ホームページ上で発信ボタンをクリックしてホームページオ−ナーとの通話を提供する方法について開示されている。前記方法は、ホームページオ−ナーの電話番号の情報を露出しなくても通話が可能であるという利点がある。
【０００８】
しかし、前記方法を利用するためには、サービス事業者が別の通信応用サーバ及び通信ゲートウェイサーバなどを構築し、両者間の通話接続を直接試みなければならず、追加の通信システム構築に対する負担が大きく、通常の通話手続ではない、別の案内放送を聞いたうえで両者間に同意を得ることによって通話が成立するため、通常の通話手続の適用が難しいという問題がある。
【０００９】
従って、インターネットウェブページ上に露出した電話番号に自分の携帯電話などを利用して容易に電話をかけることができる方法の必要性が求められている。
【先行技術文献】
【特許文献】
【００１０】
【特許文献１】韓国公開特許第２００６‐００３０１２８号
【発明の概要】
【発明が解決しようとする課題】
【００１１】
本発明の目的は、インターネットウェブサイトとユーザ端末にインストールされるアプリケーションとの連動により、ウェブページ上に露出した電話番号を設定された自分の携帯電話にプッシュすることで該電話番号に容易に電話をかけることができる、ウェブトゥアプリ連動コールサービスシステム、方法及びコンピュータ読み取り可能な記録媒体を提供することにある。
【００１２】
また、本発明の他の目的は、インターネットウェブサイトとユーザ端末にインストールされるアプリケーションとの連動により、ウェブページ上に露出した電話番号を設定された自分の携帯電話にプッシュすることで該電話番号をアドレス帳に容易に登録することができる、ウェブトゥアプリ連動コールサービスシステム、方法及びコンピュータ読み取り可能な記録媒体を提供することにある。
【課題を解決するための手段】
【００１３】
上記の本発明の目的を果たし、後述する本発明の特有の効果を果たすための、本発明の特徴的な構成は下記のとおりである。
【００１４】
本発明の一態様によると、ウェブトゥアプリ連動システムは、通信ネットワークを介してサーバにアクセスし、前記アクセスしたサーバを介して一つ以上の表示を含むウェブページの提供を受けてブラウジングを行う第１ユーザ端末と、前記第１ユーザ端末の要請に応じて前記ウェブページを提供し、前記表示の選択による選択情報を受信し、前記選択情報に基づき特定の電話番号を含むプッシュメッセージを生成して予め設定された第２ユーザ端末にプッシュするサーバと、前記プッシュメッセージを受信し、前記受信したプッシュメッセージに含まれた前記特定の電話番号を認識する前記第２ユーザ端末と、を含み、前記表示は、前記第１ユーザ端末の選択によって前記特定の電話番号を含む選択情報を前記サーバに提供する機能を有するハイパーリンクに該当する。
【００１５】
好ましくは、前記選択情報は、前記表示の種類をさらに含み、前記第２ユーザ端末は、前記受信したプッシュメッセージに含まれた前記表示の種類が電話通話である場合、前記プッシュメッセージに含まれた前記特定の電話番号への通話手続を行う。
【００１６】
好ましくは、前記第２ユーザ端末は、前記受信したプッシュメッセージに含まれた前記表示の種類が電話番号登録である場合、前記プッシュメッセージに含まれた前記特定の電話番号をアドレス帳に登録する手続を行う。
【００１７】
好ましくは、前記第２ユーザ端末には、前記受信したプッシュメッセージを処理するためのアプリケーションがインストールされ、前記アプリケーションの起動によって前記第２ユーザ端末に標準で搭載されている電話通話アプリケーション又はアドレス帳管理アプリケーションと連動して前記通話手続又は前記アドレス帳登録手続を行う。
【００１８】
好ましくは、前記第２ユーザ端末にはインスタントメッセンジャーがさらにインストールされ、前記アプリケーションの起動によって前記インスタントメッセンジャーと連動して前記通話手続を行う。
【００１９】
好ましくは、前記第１ユーザ端末はスマートＴＶ又はＩＰ ＴＶである。
【００２０】
好ましくは、前記サーバは、前記選択情報を受信するときに、前記サーバを介して前記第１ユーザ端末がログインしたか否かを確認し、前記確認の結果、前記第１ユーザ端末がログインされていない状態である場合、前記第１ユーザ端末が前記サーバを介してログインされるようにウェブページを提供する。
【００２１】
本発明の他の態様によると、ウェブトゥアプリ連動サーバは、特定の表示の選択による選択情報を受信する選択情報受信部と、前記受信した選択情報に基づき特定の電話番号を含むプッシュメッセージを生成するプッシュメッセージ生成部と、前記生成されたプッシュメッセージを予め設定された第２ユーザ端末にプッシュするメッセージ伝送処理部と、を含み、前記特定の表示は、第１ユーザ端末に提供されたウェブページ内に含まれ、前記第１ユーザ端末の選択によって前記特定の電話番号を含む選択情報を前記選択情報受信部に提供する機能を有するハイパーリンクに該当する。
【００２２】
本発明のさらなる他の態様によると、ウェブトゥアプリ連動方法は、サーバで行われる各段階が、第１ユーザ端末から特定の表示の選択による選択情報を受信する選択情報受信段階と、前記受信した選択情報に基づき特定の電話番号を含むプッシュメッセージを生成するプッシュメッセージ生成段階と、前記生成されたプッシュメッセージを予め設定された第２ユーザ端末にプッシュするメッセージ伝送処理段階と、を含み、前記特定の表示は、前記第１ユーザ端末に提供されたウェブページ内に含まれ、前記第１ユーザ端末の選択によって前記特定の電話番号を含む選択情報を前記サーバに提供する機能を有するハイパーリンクに該当する。
【００２３】
一方、前記ウェブトゥアプリ連動方法の提供を受けるための情報は、サーバコンピュータによって読み取り可能な記録媒体に格納されることができる。このような記録媒体は、コンピュータシステムによって読み取り可能にプログラム及びデータが格納される全ての種類の記録媒体を含む。その例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ（Ｃｏｍｐａｃｔ  Ｄｉｓｋ）、ＤＶＤ（Ｄｉｇｉｔａｌ  Ｖｉｄｅｏ  Ｄｉｓｋ）−ＲＯＭ、磁気テープ、フロッピー（登録商標）ディスク、光データ格納装置などが挙げられ、また、搬送波（ｃａｒｒｉｒ  ｗａｖｅ）（例えば、インターネットを介した伝送）の形態に具現されるものも含まれる。また、このような記録媒体は、ネットワークで接続されたコンピュータシステムに分散され、分散方式でコンピュータ読み取り可能なコードが格納されて実行されることができる。
【発明の効果】
【００２４】
上述したように、本発明によると、ウェブページ上に露出した電話番号を自分の携帯電話にプッシュするようにすることでユーザがいちいちウェブページの電話番号を入力しなくても容易に通話が可能であるという利点がある。
【００２５】
また、本発明によると、ウェブページ上に露出した電話番号を自分の携帯電話にプッシュしてこれをアドレス帳に登録するようにすることで、ユーザがいちいちウェブページの電話番号及び各種関連情報を自分の携帯電話に入力しなくても容易に電話番号を登録することができるという利点がある。
【００２６】
さらに、本発明によると、ウェブページ上に露出した電話番号に電話をかけるための方法として、従来のウェブトゥフォン方式ではなく、ユーザの携帯電話を介して容易に通話できるようにする方法を利用することで、ウェブトゥフォン方式による手続上の不都合とシステム構築の困難性を解決することができる利点がある。
【図面の簡単な説明】
【００２７】
【図１】本発明の実施形態によるウェブトゥアプリ連動コールサービスシステムを示す図面である。
【図２】本発明の実施形態によるサービスサーバの詳細構成を示すブロック図である。
【図３】本発明の実施例による第２ユーザ端末の詳細構成を示すブロック図である。
【図４】本発明の第１実施形態によるウェブトゥアプリ連動コールサービス手続を示す信号フロー図である。
【図５】本発明の第２実施形態によるウェブトゥアプリ連動アドレス帳登録サービス手続を示す信号フロー図である。
【図６】本発明の他の実施形態によるウェブトゥアプリ連動コールサービスシステムを示す図面である。
【図７】本発明の実施形態によるインスタントメッセンジャーを介するコールサービス手続を示す信号フロー図である。
【図８】本発明の実施形態によるインスタントメッセンジャーでのポップアップ生成を示す図面である。
【図９】本発明の実施形態による選択イメージを含むウェブページを示す図面である。
【図１０】本発明の実施形態による選択イメージを含むウェブページを示す図面である。
【図１１】本発明の実施形態によって発信選択によるサービス進行手続を示す図面である。
【図１２】本発明の実施形態によってアドレス帳登録選択によるサービス進行手続を示す図面である。
【発明を実施するための形態】
【００２８】
後述する本発明についての詳細な説明は、本発明が実施できる特定の実施形態を例示として示す添付図面を参照する。これらの実施形態は、当業者が本発明を十分に実施することができるように詳細に説明される。本発明の多様な実施形態は、互いに異なるが、相互排他的ではない。例えば、ここに記載されている特定の形状、構造及び特徴は、一実施形態に関連して本発明の思想及び範囲を外れずに他の実施形態に具現されることができる。また、それぞれの開示された実施形態内の個別構成要素の位置又は配置は、本発明の思想及び範囲を外れずに変更されることができる。従って、後述する詳細な説明は限定的なものでなく、本発明の範囲は、適切に説明するならば、特許請求の範囲に記載されたものと均等な全ての範囲であって、添付した特許請求の範囲によってのみ限定される。図面において、互いに類似する参照符号は、様々な側面にわたって同一又は類似の機能を示す。
【００２９】
本発明は、インターネットウェブサイトとユーザ端末にインストールされるアプリケーションとの連動により、ウェブページ上に露出した電話番号を設定された自分の携帯電話にプッシュ（ｐｕｓｈ）することでユーザが別にいちいち電話番号を入力しなくても該電話番号に容易に電話をかけることができる。このとき、ユーザは、ウェブページ上に表示された特定のイメージ及び／又はテキストのような形態で提供された電話通話機能表示又はアドレス帳登録機能表示を選択することで予め設定したユーザ端末に該電話番号をプッシュする。
【００３０】
これを具現するために、前記電話通話機能表示又はアドレス帳登録機能表示には、該電話番号を前記設定されたユーザ端末にプッシュすることができるようにハイパーリンクが設定されることが好ましい。従って、前記各表示の選択によって接続されたハイパーリンクが実行され、前記設定されたユーザ端末に直接電話番号をプッシュするか、後述する説明のように、ウェブサーバ及び／又はウェブトゥアプリ連動サーバを介して電話番号をプッシュする。
【００３１】
一方、前記ユーザは、前記ウェブページを提供するウェブサイトにログインすることが好ましく、電話番号をプッシュする自分のユーザ端末についての情報を予め設定することが好ましい。従って、前記各表示を選択するときにログインされていない状態である場合、ログイン入力欄を提供するように具現することが好ましく、プッシュする電話番号が設定されていない場合、ハイパーリンク実行後に電話番号をさらに設定するように具現することが好ましい。
【００３２】
また、本発明の実施形態により前記設定されたユーザ端末に電話番号を含む関連情報が伝送されると、ユーザ端末では予めインストールされたアプリケーション（応用プログラム）によってポップアップを生成する。このとき、本発明の実施形態により前記電話通話機能表示を選択した場合には、発信アプリケーションに接続するポップアップが生成され、前記アドレス帳登録機能表示を選択した場合には、アドレス帳管理アプリケーションに接続するポップアップが生成されてもよい。
【００３３】
以下、本発明が属する技術分野において通常の知識を有した者が本発明を容易に実施するために、添付の図面を参照して、本発明の好ましい実施形態について詳細に説明する。
【００３４】
先ず、図１から図３を参照して本発明の実施形態によるシステム及び装置の構造について説明し、次に、図４及び図５を参照して本発明の実施形態によるサービス手続について詳細に説明する。
【００３５】
<ウェブトゥアプリ連動コールサービスシステム>
図１は本発明の実施形態によるウェブトゥアプリ連動コールサービスシステムを示す図面である。図１を参照すると、本発明の実施形態によるシステムは、サービスサーバ１００、通信ネットワーク１１０、第１ユーザ端末１２０、第２ユーザ端末１３０及び受信者端末１４０を含むことができる。このとき、サービスサーバ１００は、ウェブサーバ１０１、ウェブトゥアプリ連動サーバ１０２及び認証サーバ１０３を含むことができる。
【００３６】
前記第１ユーザ端末１２０は、通信ネットワーク１１０を介してウェブサーバ１０１にアクセスし、所定のウェブサイトで提供する各種ウェブページをブラウジングしてディスプレイする（経路（１））。このとき、本発明の実施形態によって前記ウェブページに含まれた電話通話機能表示又はアドレス帳登録機能表示を選択する場合、これに係る該電話番号を含む情報（例えば、電話番号、会社名など）が前記通信ネットワーク１１０を介して第２ユーザ端末１３０にすぐプッシュされるか（経路（２）‐１）、前記選択された情報が前記ウェブサーバ１０１及び／又はウェブトゥアプリ連動サーバ１０２に伝送され、前記ウェブサーバ１０１及び／又はウェブトゥアプリ連動サーバ１０２によって第２ユーザ端末１３０にプッシュされることができる（経路（２）→（３））。
【００３７】
このように、電話番号を含む情報が前記第２ユーザ端末１３０に伝送されると、前記第２ユーザ端末１３０では、予めインストールされたアプリケーションにより受信した電話番号に電話をかけるか又は受信した電話番号をアドレス帳に登録するなどの実行を行うためのポップアップを生成する。このとき、ユーザが前記生成されたポップアップで電話通話の実行を選択すると、前記電話番号に該当する端末、即ち受信者端末１４０に発信処理される（経路（４））。また、ユーザが前記生成されたポップアップでアドレス帳登録の実行を選択すると、前記電話番号及び一緒に伝送された関連情報（例えば、会社名、メールアドレス、ホームページアドレスなど）がアドレス帳に自動に登録される。
【００３８】
サービス事業者が提供する前記サービスサーバ１００は、通信ネットワーク１１０を介してウェブブラウジング機能を備える第１ユーザ端末１２０に接続される。ここで、サービスサーバ１００は、上述したように、ウェブサーバ１０１、ウェブトゥアプリ連動サーバ１０２、認証サーバ１０３などを含むことができ、本発明の実施形態により、前記ウェブサーバ１０１とウェブトゥアプリ連動サーバ１０２は互いに連動して動作する。また、認証サーバ１０３は、前記ウェブサーバ１０１及び／又はウェブトゥアプリ連動サーバ１０２に対するユーザ端末のログインなどを認証する。
【００３９】
一方、前記図１には、本発明が同一の事業者のサービスサーバ１００内に、ウェブサーバ１０１、ウェブトゥアプリ連動サーバ１０２及び認証サーバ１０３を含むことが図示されているが、本発明はこれに限定されず、ウェブサーバ１０１、ウェブトゥアプリ連動サーバ１０２、及び認証サーバ１０３などが互いに異なる事業者によって運営され、互いに連動するように具現することもできる。また、前記図１には、ウェブトゥアプリ連動サーバ１０２がウェブサーバ１０１と個別に構築されて機能することを図示しているが、本発明はこれに限定されず、前記ウェブサーバ１０１の機能とウェブトゥアプリ連動サーバ１０２の機能を一つのサーバで提供するように具現することもでき、前記ウェブサーバ１０１内でウェブトゥアプリ連動サーバ１０２の機能のうち少なくとも一つの機能を含んで提供するように具現することもできる。
【００４０】
通信ネットワーク１１０は、有線及び無線などのその通信形態を問わず構成されることができ、パーソナルエリアネットワーク（ＰＡＮ；Ｐｅｒｓｏｎａｌ  Ａｒｅａ  Ｎｅｔｗｏｒｋ）、ローカルエリアネットワーク（ＬＡＮ；Ｌｏｃａｌ  Ａｒｅａ  Ｎｅｔｗｏｒｋ）、メトロポリタンエリアネットワーク（ＭＡＮ；Ｍｅｔｒｏｐｏｌｉｔａｎ  Ａｒｅａ  Ｎｅｔｗｏｒｋ）、広域ネットワーク（ＷＡＮ；Ｗｉｄｅ  Ａｒｅａ  Ｎｅｔｗｏｒｋ）など、多様な通信網で構成されることができる。また、前記通信ネットワーク１１０は、公知のワールドワイドウェブ（ＷＷＷ；Ｗｏｒｌｄ  Ｗｉｄｅ  Ｗｅｂ）であることができ、赤外線（Ｉｎｆｒａｒｅｄ  Ｄａｔａ  Ａｓｓｏｃｉａｔｉｏｎ；ＩｒＤＡ）又はブルートゥース（Ｂｌｕｅｔｏｏｔｈ（登録商標））のように、近距離通信に利用される無線伝送技術を利用することもできる。一方、前記第１ユーザ端末１２０が固定されたパソコンなどである場合、ウェブサーバ１０１と有線ネットワーク（例えば、有線インターネットネットワーク）を介して接続されることができ、第２ユーザ端末１３０とウェブトゥアプリ連動サーバ１０２との間には有線ネットワーク及び／又は無線ネットワークを介して接続されることが好ましい。
【００４１】
このとき、前記第１ユーザ端末１２０は、ユーザがウェブサーバ１０１を介してウェブページ情報を受信し、ブラウジングを行う機能を含むことが好ましく、ウェブページで特定の機能を選択するための入出力機能を含むことができる端末であれば如何なるものでもよい。例えば、前記第１ユーザ端末１２０は、スマートフォンを含む移動通信端末だけなく、デスクトップパソコン、ノートパソコン、ワークステーション、パームトップ（ｐａｌｍｔｏｐ）パソコン、個人携帯情報端末（ｐｅｒｓｏｎａｌ  ｄｉｇｉｔａｌ  ａｓｓｉｓｔａｎｔ；ＰＤＡ）、ウェブパッドなどのようにメモリー手段を備え、マイクロプロセッサを搭載して演算能力を備えたデジタル機器であればよい。デスクトップパソコン又はノートパソコンなどを第１ユーザ端末１２０として採択することがより好ましい。
【００４２】
前記第２ユーザ端末１３０にはアプリケーション（通常、アプリ（Ａｐｐ．））と称する）がインストールされ、電話通話機能を含む如何なる端末でも第２ユーザ端末１３０になることができる。例えば、スマートフォンを含む移動通信端末だけでなく、デスクトップパソコン、ノートパソコン、ワークステーション、パームトップ（ｐａｌｍｔｏｐ）パソコン、個人携帯情報端末（ｐｅｒｓｏｎａｌ  ｄｉｇｉｔａｌ  ａｓｓｉｓｔａｎｔ；ＰＤＡ）、ウェブパッドなどのようにメモリー手段を備え、マイクロプロセッサを搭載して演算能力を備えたデジタル機器であればいずれも本発明による第２ユーザ端末１３０として採択されてよい。好ましくは、スマートフォン、携帯電話などのモバイル用アプリケーションをインストールすることができ、通話機能を含む端末を第２ユーザ端末１３０として採択されてよい。
【００４３】
本発明の実施形態では、理解を容易にするために、第１ユーザ端末１２０及び第２ユーザ端末１３０を互いに異なる端末として説明したが、これに限定されず、第１ユーザ端末１２０及び第２ユーザ端末１３０が同一の端末である場合にも本発明を具現することができる。
【００４４】
受信者端末１４０は、前記第２ユーザ端末１３０と通話が可能な機能を含み、通常の有線電話機、スマートフォン、デスクトップパソコン、ノートパソコン、ワークステーション、パームトップ（ｐａｌｍｔｏｐ）パソコン、個人携帯情報端末（ｐｅｒｓｏｎａｌ  ｄｉｇｉｔａｌ  ａｓｓｉｓｔａｎｔ；ＰＤＡ）、ウェブパッドなどをはじめ、通話機能を含むいずれの端末でも可能である。
【００４５】
以下、図２及び図３を参照して、上述したウェブサーバ１０１及びウェブトゥアプリ連動サーバ１０２の詳細構成及び機能について詳細に説明する。
【００４６】
図２は本発明の実施形態によるサービスサーバの詳細構成を示すブロック図である。図２を参照すると、ウェブサーバ１０１は、会員管理部２１１、ウェブページ生成部２１２、ハイパーリンク生成部２１３、ログイン処理部２１４などの機能部を含むことができる。また、前記ウェブサーバ１０１内で処理される各種データを構造化して格納する手段として、会員情報データベース２１５、ウェブページ情報データベース２１６、受信者情報データベース２１７などをさらに含むことができる。一方、前記図２には、各機能部又は各データベースが個別の構成部又はデータベースに図示されているが、その全体又は一部の構成が統合して機能することもでき、前記複数のデータベースが少なくとも一つの別のデータベースサーバ内に含まれてウェブサーバ１０１と連動して機能することもできる。
【００４７】
先ず、会員管理部２１１は、前記ウェブサーバ１０１にアクセスするユーザ端末を介して各ユーザが入力した情報で会員登録及び修正を行うことができる会員管理機能を提供する。このとき、前記会員管理部２１１を介して登録及び修正した会員関連情報は会員情報データベース２１５に格納される。前記会員情報データベース２１５に格納される会員関連情報としては、名前、ＩＤ、パスワード、身分証明書番号、住所、電話番号、携帯電話番号などが挙げられる。特に、本発明の実施形態によって選択された電話番号をプッシュするユーザの電話番号（特に、携帯電話番号）を予め入力することが好ましい。また、特定の会員に対して複数の電話番号が入力される場合、前記入力された複数の電話番号のうち本発明によって情報をプッシュする特定の電話番号が選択されるように設定することが好ましい。
【００４８】
ウェブページ生成部２１２は、前記第１ユーザ端末１２０のウェブサイトアクセスによって提供される各種ウェブページ情報を生成し、所定のプログラミング言語（例えば、ＨＴＭＬ（Ｈｙｐｅｒｔｅｘｔ  Ｍａｒｋｕｐ  Ｌａｎｇｕａｇｅ）、ジャバスクリプト（登録商標）、ｐｈｐ、ｊｓｐ、ａｓｐなど）でウェブページを生成し、特に、前記生成されるウェブページ内には該ウェブページの特定の情報に係る特定の電話番号の情報を含むことが好ましい。
【００４９】
ハイパーリンク生成部２１３は、前記ウェブページ生成部２１２とともにウェブページを生成する機能を行い、特に、前記ウェブページ生成部２１２がウェブページを生成するときに特定のテキスト又はイメージにハイパーリンクを生成する機能を果たす。このとき、本発明の実施形態により前記ウェブページ生成部２１２で生成するウェブページ内に含まれた特定のテキスト又はイメージなどに前記ウェブページに係る特定の電話番号を設定されたユーザ端末にプッシュする機能を実行するためのハイパーリンクを生成して含むことが好ましい。従って、ユーザが前記生成されたウェブページを第１ユーザ端末でブラウジングして前記ハイパーリンクが設定された特定のテキスト又はイメージを選択した場合、設定された該電話番号が設定された第２ユーザ端末にプッシュされることができる。
【００５０】
ログイン処理部２１４は、ユーザが前記ウェブサーバ１０１にアクセスしてログイン機能を実行する場合、各種個人情報（例えば、ＩＤ及びパスワードなど）を入力することでログインすることができるユーザインターフェースを提供する。一方、本発明の実施形態によりログインされていない状態で前記ハイパーリンクが設定された特定のテキスト又はイメージを選択した場合、ユーザがログインを行うように処理するか又は設定された該電話番号がプッシュされる電話番号を入力するように処理する。
【００５１】
会員情報データベース２１５は、上述したように、各会員が登録及び修正した各種会員関連情報を格納し、ログイン処理部２１４によってログインが行われるときに前記会員情報データベース２１５に格納された会員情報を確認してログイン処理を行うことができる。
【００５２】
ウェブページ情報データベース２１６は、前記ウェブページ生成部２１２を介して生成されたプログラム化したウェブページ情報を格納し、受信者情報データベース２１７は、前記ウェブページに含まれて電話番号をプッシュする該受信者に対する情報（例えば、電話番号、会社名、住所、Ｅメールなど）を含む。従って、前記特定のテキスト又はイメージの選択によって電話番号を設定された第２ユーザ端末にプッシュする場合、前記該電話番号のみをプッシュすることもでき、前記電話番号に受信者に対する少なくても一つの情報をさらに含んでプッシュすることもできる。好ましくは、電話番号及び名前（又は商号）が一緒に伝送されるように具現することができる。
【００５３】
ウェブトゥアプリ連動サーバ１０２は、選択情報受信部２２１、ログイン確認部２２２、プッシュメッセージ生成部２２３及びメッセージ伝送処理部２２４を含むことができる。前記選択情報受信部２２１は、第１ユーザ端末１２０（即ち、ウェブサーバ１０１にアクセスしてウェブページに含まれた特定のテキスト又はイメージを選択したユーザ端末）によって選択された選択情報を受信する。このとき、前記選択情報は、特定の電話番号を予め設定されたユーザ端末にプッシュするための該電話番号の情報及び前記第１ユーザ端末１２０の情報になってもよい。
【００５４】
このように、選択情報受信部２２１で選択情報を受信すると、ログイン確認部２２２は、前記選択情報を伝送した第１ユーザ端末１２０がログインしたか否かを確認する。前記ログイン確認部２２２は、ウェブサーバ１０１を介して第１ユーザ端末１２０がログインしたか否かを確認することができ、上述したように、ウェブトゥアプリ連動サーバ１０２がウェブサーバ１０１内に含まれている場合、サーバ内で直接確認することができる。前記ログイン確認部２２２の確認の結果、前記第１ユーザ端末１２０がログインされていない場合、前記ログイン処理部２１４を介して前記第１ユーザ端末１２０のユーザがログインを行うように処理するか又は設定された該電話番号がプッシュされる電話番号を入力するように処理することが好ましい。
【００５５】
このように、ログインが確認されたり、ログインが完了するか又は電話番号が入力されると、プッシュメッセージ生成部２２３は、前記ログイン情報又は入力内容に基づく第２ユーザ端末１３０に伝送するプッシュメッセージを生成する。前記プッシュメッセージは、前記第１ユーザ端末１２０から受信した選択情報に該当するプッシュする電話番号情報を含み、前記電話番号に係る少なくとも一つの情報（例えば、会社名又は名前、Ｅメール情報、住所など）をさらに含むことができる。また、ユーザが選択した選択情報から前記ユーザが選択した機能（即ち、選択した表示）が電話通話機能選択であるかアドレス帳登録機能選択であるかを確認し、前記プッシュメッセージに前記選択した機能に対する識別情報をさらに含むことができる。
【００５６】
前記プッシュメッセージ生成部２２３でのプッシュメッセージの生成が完了すると、メッセージ伝送処理部２２４は、前記生成されたプッシュメッセージを前記ログイン情報の確認によって確認された第２ユーザ端末１３０に伝送処理する。
【００５７】
これにより、前記第２ユーザ端末１３０は、前記プッシュメッセージを受信してポップアップを生成し、ユーザの機能選択によってプッシュメッセージに含まれた電話番号に電話をかけるか、該電話番号をアドレス帳に登録することができる。
【００５８】
図３は本発明の実施例による第２ユーザ端末の詳細構成を示すブロック図である。図３を参照すると、ウェブサーバ１０１又はウェブトゥアプリ連動サーバ１０２を介してプッシュメッセージを受信した第２ユーザ端末１３０は、所定の予めインストールされた応用プログラム（アプリケーション（アプリ））を介してプッシュメッセージを分析し、図１１又は図１２に図示されたようなポップアップを生成する。
【００５９】
一方、第２ユーザ端末１３０にインストールされる応用プログラムは、プッシュメッセージ受信部３０１、ポップアップ生成部３０２、電話アプリ連動処理部３０３、アドレス帳アプリ連動処理部３０４などを含むことができる。前記プッシュメッセージ受信部３０１は、前記ウェブサーバ１０１又はウェブトゥアプリ連動サーバ１０２から伝送されたプッシュメッセージを受信する機能を果たす。ポップアップ生成部３０２は、前記受信したプッシュメッセージを確認し、それによるポップアップを生成する。
【００６０】
例えば、前記プッシュメッセージが電話通話機能のためのメッセージである場合、図１１に図示されたように、直接電話接続が可能なポップアップを生成する。前記電話接続のためのポップアップには電話をかける電話番号が直接表示されることもでき、図１１のように、電話をかける電話番号の会社名などが表示されることもできる。他の実施形態により、前記プッシュメッセージがアドレス帳登録機能のためのメッセージである場合、図１２に図示されたように、アドレス帳登録を案内するポップアップを生成する。前記アドレス帳登録のためのポップアップには、アドレス帳に追加する電話番号が直接表示されることもでき、図１２のように追加する電話番号の会社名などが表示されることもできる。
【００６１】
一方、前記ポップアップ生成部３０２を介して生成されたポップアップでユーザが該機能に対する承諾を選択すると、該機能が行われる。例えば、図１１に図示されたように、電話接続のためのポップアップで「発信」を選択すると、電話アプリ連動処理部３０３ではスマートフォンなどに標準で搭載された電話通話アプリケーションと連動して図１１に図示されたように、前記受信したプッシュメッセージに含まれた電話番号に電話をかけるように処理する。
【００６２】
また、本発明の他の実施形態により図１２に図示されたように、アドレス帳登録のためのポップアップで「登録」を選択すると、アドレス帳アプリ連動処理部３０４ではスマートフォンなどに標準で搭載されたアドレス帳管理アプリケーションと連動して図１２に図示されたように、前記受信したプッシュメッセージに含まれた電話番号をアドレス帳に登録するように処理する。
【００６３】
一方、前記では、第２ユーザ端末１３０にプッシュメッセージを受信する場合、該機能に対するユーザの承諾を得るためのポップアップを生成するように具現したが、本発明の他の実施形態により該機能がユーザの承諾なしにすぐ行われるように処理することもできる。例えば、第２ユーザ端末１３０で受信したプッシュメッセージが電話接続に対するプッシュメッセージである場合、前記のようにポップアップ生成過程を省略してすぐ電話通話アプリケーションと連動して該電話番号に電話をかける画面に進むことができる。同様に、第２ユーザ端末１３０で受信したプッシュメッセージがアドレス帳登録に対するプッシュメッセージである場合、前記のようにポップアップ生成過程を省略してすぐアドレス帳に該電話番号が登録されるように処理することもできる。また、他の方法として、前記プッシュメッセージが前記処理機能に対する情報を含んでおらず電話番号（又は電話番号に係る情報）のみを含んでいる場合、該電話番号に電話をかける機能と該電話番号をアドレス帳に登録する機能を選択するポップアップを生成するように具現することもできる。
【００６４】
ウェブトゥアプリ連動コールサービス方法
図４は本発明の第１実施形態によるウェブトゥアプリ連動コールサービス手続を示す信号フロー図である。図４を参照すると、先ず、ウェブサーバ１０１は、受信者端末の情報をハイパーリンクとして含み、ウェブページを構成（Ｓ４０１）する。例えば、前記ハイパーリンクには受信者端末の電話番号及び該電話番号をプッシュすることができる情報を含むか、前記該受信者端末の情報選択によってプッシュメッセージを生成するためにウェブトゥアプリ連動サーバ１０２に前記選択情報を伝送することができる情報を含むことができる。
【００６５】
一方、第１ユーザ端末１２０で前記ウェブサーバ１０１にアクセス（Ｓ４０３）すると、ウェブページ情報を受信（Ｓ４０４）してブラウジングを行う。このとき、前記第１ユーザ端末１２０は、本発明の実施形態による機能処理のために該ウェブサイトに対するログイン（Ｓ４０５）を行うことが好ましく、万が一、ログインが行われずに次の手続が行われる場合、Ｓ４０６段階の電話イメージ選択段階の後に、ログイン又は電話番号入力を要求するように処理することもできる。
【００６６】
前記ログイン手続が完了し、ユーザがウェブページに含まれた電話接続機能表示（例えば、電話イメージ）を選択（Ｓ４０６）すると、前記表示にハイパーリンクされた情報によって前記選択情報がウェブトゥアプリ連動サーバ１０２に伝送（Ｓ４０７）される。ウェブトゥアプリ連動サーバ１０２では、前記ユーザの選択情報によってプッシュメッセージを生成（Ｓ４０８）する。前記プッシュメッセージは、前記ユーザが選択した電話接続機能表示に該当する電話番号を含むことができ、前記電話番号に該当する関連情報（例えば、会社名、名前、住所、Ｅメール住所など）をさらに含むことができる。
【００６７】
このとき、前記ウェブトゥアプリ連動サーバ１０２は、前記第１ユーザ端末１２０がログインしたか否かを確認することが好ましく、前記確認の結果、ログインされていない場合、前記第１ユーザ端末１２０がログイン又は電話番号を入力するようにプロセスウィンドウ又はウェブページを提供することが好ましい。前記確認の結果、ログインされている場合、前記生成されたプッシュメッセージを前記第１ユーザ端末１２０のログインしたユーザが設定した電話番号（即ち、第２ユーザ端末１３０）に伝送（Ｓ４０９）する。
【００６８】
一方、第２ユーザ端末１３０は、前記プッシュメッセージを受信し、前記プッシュメッセージ受信によって該機能を行うようにポップアップを生成（Ｓ４１０）する。このような処理のために前記第２ユーザ端末１３０には予め専用アプリケーションがインストール（Ｓ４０２）されることが好ましいが、必ずしもこれに限定されず、プッシュメッセージにより、スマートフォンなどに標準で搭載された電話通話アプリケーションと直接連動するように処理することができる。前記インストールされた専用アプリケーションによって生成されたポップアップを確認したユーザが通話接続を選択（Ｓ４１１）すると、前記ユーザが前記第１ユーザ端末１２０でウェブページを介して選択した電話番号に該当する受信者端末１４０に通話呼を発信（Ｓ４１２）する。
【００６９】
図５は本発明の第２実施形態によるウェブトゥアプリ連動アドレス帳登録サービス手続を示す信号フロー図である。図５を参照すると、先ずウェブサーバ１０１は、受信者端末の情報をハイパーリンクとして含み、ウェブページを構成（Ｓ５０１）する。例えば、前記ハイパーリンクには、受信者端末の電話番号及び該電話番号をプッシュすることができる情報を含むか、前記該受信者端末の情報選択によってプッシュメッセージを生成するためにウェブトゥアプリ連動サーバ１０２に前記選択情報を伝送することができる情報を含むことができる。
【００７０】
一方、第１ユーザ端末１２０で前記ウェブサーバ１０１にアクセス（Ｓ５０３）すると、ウェブページ情報を受信（Ｓ５０４）してブラウジングを行う。このとき、前記第１ユーザ端末１２０は、本発明の実施形態による機能処理のために該ウェブサイトに対するログイン（Ｓ５０５）を行うことが好ましく、万が一、ログインが行われずに次の手続が行われる場合、Ｓ５０６段階のアドレス帳イメージ選択段階の後に、ログイン又は電話番号入力を要求するように処理することもできる。
【００７１】
前記ログイン手続が完了し、ユーザがウェブページに含まれたアドレス帳登録機能表示（例えば、アドレス帳イメージ）を選択（Ｓ５０６）すると、前記表示にハイパーリンクされた情報によって前記選択情報がウェブトゥアプリ連動サーバ１０２に伝送（Ｓ５０７）される。ウェブトゥアプリ連動サーバ１０２は、前記ユーザの選択情報によってプッシュメッセージを生成（Ｓ５０８）する。前記プッシュメッセージは、前記ユーザが選択したアドレス帳登録機能表示に該当する登録する電話番号を含むことができ、前記電話番号に該当する関連情報（例えば、会社名、名前、住所、Ｅメール住所など）をさらに含むことができる。
【００７２】
一方、このとき、前記ウェブトゥアプリ連動サーバ１０２は、前記第１ユーザ端末１２０がログインしたか否かを確認することが好ましく、前記確認の結果、ログインされていない場合、前記第１ユーザ端末１２０がログイン又は電話番号を入力するようにプロセスウィンドウ又はウェブページを提供することが好ましい。前記確認の結果、ログインされている場合、前記生成されたプッシュメッセージを前記第１ユーザ端末１２０のログインしたユーザが設定した電話番号（即ち、第２ユーザ端末１３０）に伝送（Ｓ５０９）する。
【００７３】
一方、第２ユーザ端末１３０は、前記プッシュメッセージを受信し、前記プッシュメッセージ受信によって該機能を行うようにポップアップを生成（Ｓ５１０）する。このような処理のために、前記第２ユーザ端末１３０には予め専用アプリケーションがインストール（Ｓ５０２）されることが好ましいが、必ずしもこれに限定されず、プッシュメッセージによってスマートフォンなどに標準で搭載されたアドレス帳管理アプリケーションと直接連動するように処理することができる。前記インストールされた専用アプリケーションによって生成されたポップアップを確認したユーザがアドレス帳登録を選択（Ｓ５１１）すると、前記ユーザが前記第１ユーザ端末１２０でウェブページを介して選択した電話番号及び／又は前記電話番号に係る情報が、前記第２ユーザ端末１３０のアドレス帳に登録（Ｓ５１２）処理される。
【００７４】
以上、本発明の実施形態によるウェブトゥアプリ連動コールサービスシステム及び方法について説明した。一方、上述したような本発明の概念をさらに拡張してインターネットに接続されるスマートＴＶ又はＩＰ ＴＶに適用することができ、ＶｏｉＰ／Ｍｖｏｉｐなどが可能なインスタントメッセンジャーにも適用することができる。以下、図６から図８を参照して本発明の概念が拡張された他の実施形態について説明する。
【００７５】
図６は本発明の他の実施形態によるウェブトゥアプリ連動コールサービスシステムを示す図面である。図６を参照すると、上述した第１ユーザ端末１２０として通常のコンピュータ端末ではなく、スマートＴＶ又はＩＰ ＴＶ６００などに本発明を適用することができる。前記スマートＴＶ又はＩＰ ＴＶにプリロード（ｐｒｅｌｏａｄ）又はインストール型にポータルウェブサイトのサービスが提供されることができる。従って、上述した実施形態と同様に、ＩＰ ＴＶ６００のウェブブラウジング領域又はウェブサービス領域で電話イメージ又はアドレス帳イメージを選択することで本発明によって設定された機能を提供することができる。ユーザの前記選択による選択情報は、通信ネットワーク１１０を介してサービスサーバ１００のウェブサーバ１０１又はウェブトゥアプリ連動サーバ１０２に伝送され、前記受信した選択情報によってウェブサーバ１０１又はウェブトゥアプリ連動サーバ１０２でプッシュメッセージを生成し、予め設定された第２ユーザ端末１３０に伝送する。以降、細部の手続は上述した実施形態と同一であるため、その詳細な説明は省略する。
【００７６】
一方、前記第２ユーザ端末１３０に伝送されたプッシュメッセージから上述したようにポップアップを生成させ、ユーザが前記選択された電話番号に通話接続を要請すると該受信者端末１４０に通話を試みる。このとき、本発明の実施形態によりインスタントメッセンジャー（Ｉｎｓｔａｎｔ  ｍｅｓｓｅｎｇｅｒ；ＩＭ）の通話機能と連動して通話を行うように具現することもできる。即ち、前記第２ユーザ端末１３０ではインスタントメッセンジャーが実行され、前記インスタントメッセンジャーが実行される状態で前記プッシュメッセージを受信して通話接続が要請されると、前記インスタントメッセンジャーの通話機能を利用して前記受信したプッシュメッセージに含まれた電話番号（即ち、受信者端末１４０）に通話接続されるように具現されることができる。又は前記インスタントメッセンジャーが実行されている状態でなくても前記プッシュメッセージを受信して通話接続が要請されると、前記インスタントメッセンジャーを作動（ｉｎｖｏｋｅ）させ、作動したインスタントメッセンジャーと連動して前記受信したプッシュメッセージに含まれた電話番号（即ち、受信者端末１４０）に通話接続されるように具現されることができる。このとき、前記受信者端末１４０にもインスタントメッセンジャーが起動され、前記第２ユーザ端末１３０の通話接続要請に応じてインスタントメッセンジャーの通話機能が実行され、通話を行うように具現することが好ましいが、必ずしもこれに限定されず、前記受信者端末１４０にもインスタントメッセンジャーがインストールされている場合、これを作動してから連動して通話を行うように具現されることもできる。
【００７７】
図７は本発明の実施形態によるインスタントメッセンジャーを介するコールサービス手続を示す信号フロー図である。図７を参照すると、上述したように、インスタントメッセンジャーの通話機能を利用して本発明を具現することができる。
【００７８】
先ず、ウェブサーバ１０１は、受信者端末の情報をハイパーリンクとして含み、ウェブページを構成（Ｓ７０１）する。例えば、前記ハイパーリンクは、受信者端末の電話番号及び該電話番号をプッシュすることができる情報を含むか、前記該受信者端末の情報選択によってプッシュメッセージを生成するためにウェブトゥアプリ連動サーバ１０２で前記選択情報を伝送することができる情報を含むことができる。
【００７９】
一方、第１ユーザ端末１２０で前記ウェブサーバ１０１にアクセス（Ｓ７０３）すると、ウェブページ情報を受信（Ｓ７０４）してブラウジングを行う。このとき、前記第１ユーザ端末１２０は、本発明の実施形態による機能処理のために該ウェブサイトに対するログイン（Ｓ７０５）を行うことが好ましく、万が一ログインが行われずに次の手続が行われる場合、Ｓ７０６段階の電話イメージ選択段階の後にログインを要求するように処理することもできる。
【００８０】
前記ログイン手続が完了し、ユーザがウェブページに含まれた電話接続機能表示（例えば、電話イメージ）を選択（Ｓ７０６）すると、前記表示にハイパーリンクされた情報によって前記選択情報がウェブトゥアプリ連動サーバ１０２に伝送（Ｓ７０７）される。ウェブトゥアプリ連動サーバ１０２では、前記ユーザの選択情報によってプッシュメッセージを生成（Ｓ７０８）する。前記プッシュメッセージは、前記ユーザが選択した電話接続機能表示に該当する電話番号を含むことができ、前記電話番号に該当する関連情報（例えば、会社名、名前、住所、Ｅメール住所など）をさらに含むことができる。
【００８１】
このとき、前記ウェブトゥアプリ連動サーバ１０２は、前記第１ユーザ端末１２０がログインしたか否かを確認することが好ましく、前記確認の結果、ログインされていない場合、前記第１ユーザ端末１２０にログインするようにログインプロセスウィンドウ又はログインウェブページを提供することが好ましい。前記確認の結果、ログインされている場合、前記生成されたプッシュメッセージを前記第１ユーザ端末１２０のログインしたユーザが設定した電話番号（即ち、第２ユーザ端末１３０）に伝送（Ｓ７０９）する。
【００８２】
一方、第２ユーザ端末１３０は、前記プッシュメッセージを受信し、前記プッシュメッセージ受信によって該機能を行うようにポップアップを生成（Ｓ７１０）する。このとき、本発明の実施形態によってインスタントメッセンジャーでポップアップを生成し、インスタントメッセンジャーの通話機能で電話通話を要請することができる。従って、このような処理を行うために、前記第２ユーザ端末１３０には予めインスタントメッセンジャーがインストール（Ｓ７０２）されることが好ましい。前記インストールされたインスタントメッセンジャーによって生成されたポップアップを確認したユーザが通話接続を選択（Ｓ７１１）すると、インスタントメッセンジャーの通話機能を利用して前記ユーザが前記第１ユーザ端末１２０でウェブページを介して選択した電話番号に該当する受信者端末１４０とインスタントメッセンジャーを利用して通話（Ｓ７１３）を行う。このとき、前記受信者端末１４０にもインスタントメッセンジャーが予めインストールされて起動（Ｓ７１２）されることが好ましいが、必ずしもこれに限定されないという点は前記のとおりである。
【００８３】
図８は本発明の実施形態によるインスタントメッセンジャーでのポップアップ生成を示す図面である。図８を参照すると、前記図７で上述したようにインスタントメッセンジャー８００上にポップアップが生成されることができる。例えば、「「ＡＡＡ」にすぐ電話をかけますか？」などのポップアップ８１０が生成され、ユーザが発信を選択すると、前記インスタントメッセンジャーの電話通話機能を利用して該受信者端末１４０に電話をかけることを試みる。
【００８４】
一方、前記実施形態の場合、インスタントメッセンジャーで通話機能を提供することもでき、提供することができないこともある。従って、ウェブトゥアプリ連動サーバ１０２でこれを予め判断して通話機能が可能な場合のみに第２ユーザ端末１３０にプッシュメッセージを伝送するように具現することができる。また、他の方法として、前記通話機能を提供するか否かに関係なくプッシュメッセージを第２ユーザ端末１３０に伝送し、第２ユーザ端末１３０では、通話機能を提供することが不可能である場合、サービス不可に対するメッセージがポップアップなどの形態で露出するように具現することができる。
【００８５】
実施形態
図９及び図１０は本発明の実施形態による選択イメージを含むウェブページを示す図面である。図９を参照すると、ウェブページ９００で特定の商店（例えば、「ＡＡＡのＢＢ支店」）に対する各種情報（例えば、電話番号９１０、 ホームページなど）が提供される。
【００８６】
このとき、本発明の実施形態により電話通話機能表示９２０を選択すると、前記商店に対する電話番号９１０が設定されたユーザ端末（即ち、第２ユーザ端末１３０）にプッシュされ、前記ユーザ端末では別途の電話番号入力手続なしに前記商店にすぐ電話をかけることができる。
【００８７】
同様に、本発明の実施形態によってアドレス帳登録機能表示９３０を選択すると、前記商店に対する電話番号９１０が設定されたユーザ端末（即ち、第２ユーザ端末１３０）にプッシュされ、前記ユーザ端末では別途の電話番号入力手続なしに前記商店に対する電話番号及び／又は各種関連情報（例えば、住所、分類、紹介、ホームページ、Ｅメールなど）をアドレス帳に自動に登録することができる。
【００８８】
図１０においても図９のようにウェブページ１０００に含まれた電話番号１０１０をユーザ端末に直接入力することなく、簡単に電話通話機能表示１０２０又はアドレス帳登録機能表示１０３０を選択すると、設定されたユーザ端末を介して該電話番号に電話をかけるか前記電話番号及び／又は関連情報を前記ユーザ端末に登録することができる。
【００８９】
一方、前記図９及び図１０では電話通話機能表示９２０、１０２０及びアドレス帳登録機能表示９３０、１０３０をイメージ形態（例えば、電話イメージ、アドレス帳イメージ）で表示しているが、テキスト又はテキストとイメージが結合された形態などの様々な形態に具現することができる。
【００９０】
図１１は本発明の実施形態により発信選択によるサービス進行手続を示す図面である。図１１を参照すると、図９又は図１０のようにウェブページに含まれた電話通話機能表示９２０、１０２０を選択すると、上述したように設定された第２ユーザ端末１３０にポップアップ１１００が生成され、前記ポップアップ１１００で電話をかける選択すると、第２ユーザ端末１３０に標準で搭載された電話通話アプリケーションが実行され、受信したプッシュメッセージに含まれた電話番号が自動に入力される。従って、ユーザは電話番号をいちいち入力することなく簡単に通話ボタンを選択することでウェブページに含まれた電話番号に電話をかけることができる。
【００９１】
一方、前記図１１には、電話通話機能表示９２０、１０２０の選択によってポップアップ１１００が生成され、発信選択によって電話通話アプリケーションが実行されることが図示されているが、本発明の実施形態により、プッシュメッセージを受信した後、前記ポップアップ生成及び選択過程を省略してすぐ電話通話アプリケーションが実行されるように具現することもできる。また、前記電話通話アプリケーションの実行後、ユーザが電話通話ボタンを選択してから電話通話するように具現することもできるが、電話通話ボタンを選択することなく、すぐ通話要請が行われるように具現することもできる。
【００９２】
図１２は本発明の実施形態によってアドレス帳登録選択によるサービス進行手続を示す図面である。図１２を参照すると、図９又は図１０のようにウェブページに含まれたアドレス帳登録機能表示９３０、１０３０を選択すると、上述したように設定された第２ユーザ端末１３０にポップアップ１２００が生成され、前記ポップアップ１２００で登録を選択すると、第２ユーザ端末１３０に標準で搭載されたアドレス帳管理アプリケーションが実行され、受信したプッシュメッセージに含まれた電話番号が自動にアドレス帳に登録される。従って、ユーザは電話番号及び／又は関連情報などをいちいち入力することなく、簡単に登録ボタンを選択することでウェブページに含まれた電話番号及び／又は関連情報をアドレス帳に自動に登録することができる。このとき、前記ポップアップ１２００で登録を選択すると、第２ユーザ端末１３０に標準で搭載されたアドレス帳管理アプリケーションの実行によって、連絡先に登録、新規連絡先に登録、既存の名前に追加などの機能選択メニューがさらに提供されることができる。
【００９３】
一方、前記図１２には、アドレス帳登録機能表示９３０、１０３０選択によってポップアップ１２００が生成され、登録選択によってアドレス帳管理アプリケーションが実行されることが図示されているが、本発明の実施形態により、プッシュメッセージを受信した後、前記ポップアップ生成及び選択過程を省略してすぐアドレス帳管理アプリケーションが実行されるように具現することもできる。また、前記アドレス帳管理アプリケーションの実行後、図示されたような各種アドレス帳登録メニューでの選択後に登録されるように具現することもできるが、このような選択過程なしにすぐアドレス帳に情報が登録されるように具現することもできる。
【００９４】
以上、本発明を具体的な構成要素などの特定の事項と限定された実施例及び図面を参照して説明したが、これは本発明のより全体的な理解を容易にするために提供されたものにすぎず、本発明は、前記実施例によって限定されず、本発明が属する分野で通常的な知識を有した者であれば、このような記載から多様な修正及び変形が可能である。
【００９５】
従って、本発明の思想は、前記実施例に限定されて決定されてはならず、添付する特許請求の範囲だけでなく、特許請求の範囲と均等または等価的に変形されたものは全て、本発明の思想の範囲に属する。
【符号の説明】
【００９６】
１００  サービスサーバ
１０１  ウェブサーバ
１０２  ウェブトゥアプリ連動サーバ
１０３  認証サーバ
１１０  通信ネットワーク
１２０  第１ユーザ端末
１３０  第２ユーザ端末
１４０  受信者端末
２１１  会員管理部
２１２  ウェブページ生成部
２１３  ハイパーリンク生成部
２１４  ログイン処理部
２１５  会員情報データベース
２１６  ウェブページ情報データベース
２１７  受信者情報データベース
２２１  選択情報受信部
２２２  ログイン確認部
２２３  プッシュメッセージ生成部
２２４  メッセージ伝送処理部
３０１  プッシュメッセージ受信部
３０２  ポップアップ生成部
３０３  電話アプリ連動処理部
３０４  アドレス帳アプリ連動処理部
【図１】
0006316539.tif 000002
【図２】
0006316539.tif 000003
【図３】
0006316539.tif 000004
【図４】
0006316539.tif 000005
【図５】
0006316539.tif 000006
【図６】
0006316539.tif 000007
【図７】
0006316539.tif 000008
【図８】
0006316539.tif 000009
【図９】
0006316539.tif 000010
【図１０】
0006316539.tif 000011
【図１１】
0006316539.tif 000012
【図１２】
0006316539.tif 000013